(57)【要約】【課題】            湿度管理だけでなく細菌や臭気も除去できる機能性の高い保管庫を得る。【解決手段】        物品を収納する気密性の高い保管室１に気密性の高い気室２を、二つの連絡口６，７によって連通させて隣設させた保管庫を構成する。気室２には可逆的な吸放湿機能を有する除湿器を備えた吸着除湿装置４と、光触媒装置１０とを併設する。吸着除湿装置４は、連絡口７から保管室１の空気を吸込み除湿器を通して除湿し、連絡口６から保管室１に吹出す除湿運転と、気室２外の空気を吸込み、除湿器を再生して気室２外へ排気する再生運転を交番して行う。光触媒装置１０は、連絡口７から保管室１の空気を吸込み、紫外線が照射される光触媒フィルタを通して殺菌・脱臭し、連絡口６から保管室１に吹出す運転を行う。【選択図】          図１
2007236749.tif 000002
【特許請求の範囲】
【請求項１】
物品を収納する気密性の高い保管室に気密性の高い気室を、二つの連絡口によって連通させて隣設させた保管庫を構成する。前記気室には可逆的な吸放湿機能を有する除湿器を備えた吸着除湿装置と、光触媒装置とを併設する。その吸着除湿装置は、前記連絡口の一方から前記保管室の空気を吸込み前記除湿器を通して除湿し、前記他方の連絡口から同保管室に吹出す除湿運転と、前記気室外の空気を吸込み、前記除湿器を再生して同気室外へ排気する再生運転を交番して行う。前記光触媒装置は、前記連絡口の一方から前記保管室の空気を吸込み、紫外線が照射される光触媒フィルタを通して殺菌・脱臭し、前記他方の連絡口から同保管室に吹出す運転を行う。
【請求項２】
請求項１に記載の保管庫であって、光触媒装置は、風洞構造の風胴に一方向の送風を行う送風機と、紫外線発光部、この紫外線発光部の紫外線が照射される光触媒フィルタで構成される通気可能な光触媒であり、その構成部材は紫外線に対する耐候性を持つ無機質系材料で構成されている保管庫。
【請求項３】
請求項１又は請求項２のいずれかに記載の保管庫であって、二つの連絡口を対角線上に設けた保管庫。
【請求項４】
風洞構造の風胴に一方向の送風を行う送風機と、紫外線発光部、この紫外線発光部の紫外線が照射される光触媒フィルタで構成される通気可能な光触媒を設け、構成部材を紫外線に対する耐候性を持つ無機質系材料で構成した光触媒装置。
【請求項５】
請求項４に記載の光触媒装置であって、紫外線発光部を複数設け、その各紫外線発光部は、紫外線発光ダイオードをフレーム内に直線状に複数並べた構成である光触媒装置。
【請求項６】
請求項４又は請求項５のいずれかに記載の光触媒装置であって、光触媒フィルタを、不織布に酸化チタン及びアパタイトを添着して構成した光触媒装置。
【発明の詳細な説明】
【技術分野】
【０００１】
本発明は、食品、薬品、皮革品等の各種の物品を乾燥状態に保管する保管庫及び保管庫に用いる光触媒によって空気の殺菌・脱臭を行う光触媒装置に関するものである。
【背景技術】
【０００２】
食品その他の物品を乾燥状態に保管する保管庫は大きく分けて、塩化カルシウムやペレット状のシリカゲル等の乾燥剤に庫内の湿気を吸湿させて庫内を乾燥雰囲気にするものと、吸湿材を備えた吸着除湿装置に庫内の空気を循環させて吸湿材に湿気を吸湿させて庫内を乾燥雰囲気にするものがある。吸湿材として天然ゼオライトやシリカゲルを使つたものは、水も溜まらず、吸湿した吸湿材に熱を加えて放湿させることで再生できるので、広く採用されている（特許文献１，２参照）。
【０００３】
【特許文献１】特開平４−１１４７１４号公報
【特許文献２】特開２００３−９３８３３号公報
【発明の開示】
【発明が解決しようとする課題】
【０００４】
従来の保管庫は、食品その他の物品を乾燥状態に保管するものである。可逆的な吸放湿機能を持つ吸湿材を備えた吸着除湿装置により庫内を低湿にするものでは、例えば食品では、食品中に含まれる含水比率は、約１０ｗｔ％以下の安定した状態で保管することができる。即ち、カビの発生や生育、繁殖しない環境下での物品の保管が可能である。しかしながら、湿度管理だけの保管庫では、種々の物品の保管には不向きである。湿度管理だけでなく細菌や臭気も除去できる機能性のより高い保管庫の開発が課題である。
【０００５】
本発明は、上記した課題を解決するためになされたものであり、その目的とするところは、湿度管理だけでなく細菌や臭気も除去できる機能性の高い保管庫を得ることであり、光触媒によって空気の殺菌・脱臭を行う、保管庫に簡単に設けることができる光触媒装置を得ることである。
【課題を解決するための手段】
【０００６】
上記課題を解決するために本発明は、以下の手段を採用する。物品を収納する気密性の高い保管室に気密性の高い気室を、二つの連絡口によって連通させて隣設させて保管庫を構成する。その気室には可逆的な吸放湿機能を有する除湿器を備えた吸着除湿装置と、光触媒装置とを併設する。吸着除湿装置は、連絡口の一方から保管室の空気を吸込み除湿器を通して除湿し、他方の連絡口から同保管室に吹出す除湿運転と、気室外の空気を吸込み、除湿器を再生して同気室外へ排気する再生運転を交番して行うようにする。光触媒装置は、連絡口の一方から保管室の空気を吸込み、紫外線が照射される光触媒フィルタを通して殺菌・脱臭し、他方の連絡口から保管室に吹出す運転を行うようにする。
【発明の効果】
【０００７】
本発明によれば、気室に設けられた吸着除湿装置により、保管室は乾燥雰囲気におかれ、光触媒装置により保管室の空気の殺菌・脱臭が行われる。即ち、湿度管理だけでなく細菌や臭気も除去できる機能性の高い保管庫が得られる。
【発明を実施するための最良の形態】
【０００８】
本発明の保管庫は、食品、薬品、カメラや皮革品等の各種の物品を乾燥雰囲気及び滅菌・脱臭雰囲気で保管するものである。物品を収納する気密性の高い扉付きの保管室の下に気密性の高い気室を、対角線上に設けた二つの連絡口によって連通させて隣設させ保管庫の本体を構成する。気室には可逆的な吸放湿機能を有する除湿器と、空気を加熱する加熱手段と送風機を備えた吸着除湿装置と、光触媒装置とを併設する。吸着除湿装置は、送風機により連絡口の一方から保管室の空気を吸込み除湿器を通して除湿し、他方の連絡口から同保管室に吹出す除湿運転と、気室外の空気を送風機により吸込み、加熱手段で加熱した空気を除湿器に通し、除湿器を再生して気室外へ排気する再生運転を交番して行う。光触媒装置は、風洞構造の風胴に一方向の送風を行う送風機と、紫外線発光部と、紫外線発光部の紫外線を照射する光触媒フィルタとを所定の間隔をおいて設けた通気可能な光触媒である。光触媒装置の構成部材は、紫外線に対する耐候性を持つ金属や樹脂等の無機質系材料で構成され、連絡口の一方から保管室の空気を送風機により風洞に吸込み、紫外線が照射される光触媒フィルタを通して殺菌・脱臭し、他方の連絡口から保管室に吹出す運転を行う。この保管庫によれば、物品が収められた保管室は、吸着除湿装置の運転により乾燥雰囲気に維持され、光触媒装置の運転により滅菌・脱臭雰囲気におかれる。即ち、湿度管理だけでなく細菌や臭気も除去できる機能性の高い保管庫となる。
【０００９】
実施の形態１．
図１〜図６によって示す本実施の形態は、乾燥、滅菌、脱臭雰囲気で物品を保管する保管庫に関するものである。図１は、保管庫の全体を示す透視斜視図、図２は、吸着除湿装置の断面図、図３は、気室の斜視図、図４は、光触媒装置の斜視図、図５は、光触媒装置の断面図、図６は、保管庫の運転形態を示すフローチャートである。
【００１０】
この保管庫は、食品、薬品、皮革品等の各種の物品を乾燥雰囲気及び滅菌・脱臭雰囲気で保管するものである。保管庫の本体は、物品を収納する気密性の高い保管室１と、保管室１の空気を加工する気密性の高い気室２とにより構成されている。保管室１は、前面に開閉扉を備えた箱構造に構成され、扉との合わせ面には気密保持のためのガスケット３が設けられている。気室２も気密構造の箱体で、保管室１の下（横でもよい）に一体化されている。気室２には、その前部に吸着除湿装置４が設けられ、吸着除湿装置４の背後の気室２は、隔壁５により左右に二分されている。隔壁５で隔てられた左右の気室２と保管室１とは、対角線上に設けられた二つの連絡口６，７によって連通されている（図１参照）。気室２の前面の左右には吸着除湿装置４に連絡する外部開口８が開けられている。気室２には隔壁５に開設された取付窓９に図４，５に示す光触媒装置１０が隔壁５を跨ぐように設けられている。
【００１１】
吸着除湿装置４は、図２に示すように空気を通す直線状の多数の通路を持ち、可逆的な吸放湿機能を備えた除湿器１１と、除湿器１１の通路に通風させる送風機１２と、除湿器１１に通す空気を昇温させる加熱手段１３とを直列状に組込んだ風路を、六面体の外殻内に構成したものである。吸着除湿装置４の風路の吸込口と吹出口はそれぞれ隣接する外殻の二面に対形態に開口されている。外殻内には一方の吸込口から風路を経て一方の吹出口に至る除湿経路と、他方の吸込口から風路を経て他方の吹出口に至る再生経路が設けられている。
【００１２】
除湿経路と再生経路の各吸込口と各吹出口は開閉ダンパ機構１４によって開閉される。開閉ダンパ機構１４は、ステッピングモーター１５の回転軸上に、吸込口開閉ブレード１６と吹出口開閉ブレード１７を取付けた構成で、再生経路を開通させたときには、除湿経路は遮断し、除湿経路を開通させたときには、再生経路は遮断する。再生経路の吸込口と吹出口はそれぞれ気室２の前面に開けられた外部開口８に気密状態に接続されている。開閉ダンパ機構１４、送風機１２、加熱手段１３は、内蔵された制御回路１８によって運転が制御される。制御回路１８には除湿経路に設けられた湿度センサ１９が繋がれ、湿度情報が取り込まれる。
【００１３】
光触媒装置１０は、図４，５に示すように風洞構造２０の風胴に一方向の送風を行う送風機２１と、紫外線発光部２２と、紫外線発光部２２の紫外線を照射する光触媒フィルタ２３とを所定の間隔をおいて直列状に設けた通気可能な光触媒である。風洞構造２０の中間に取付フランジ２４が設けられていて、この取付フランジ２４により、気室２の隔壁５の取付窓９に取付けられている。紫外線発光部２２は複数設けられ、その各紫外線発光部２２は、紫外線発光ダイオードをフレーム２５内に直線状に複数並べて構成されている。これにより、光触媒フィルタ２３に紫外線を均一に照射することができる。光触媒フィルタ２３は、樹脂不織布２６に酸化チタン及びアパタイトを添着した構成で、紫外線の照射を切れ目なく樹脂不織布２６に当てることができる。
【００１４】
光触媒装置１０の構成部材は、紫外線に対する耐候性を持つ金属や樹脂等の無機質系材料で構成され、連絡口７から保管室１の空気を送風機２１により風洞に吸込み、紫外線が照射される光触媒フィルタ２３を通して殺菌・脱臭し、連絡口６から保管室１に吹出す運転を行う。連絡口６，７は対角線上に設けられているため保管室１の空気は滞ることなく円滑に加工される。即ち、光触媒フィルタ２３に添着している酸化チタンにより、最も酸化力が強いとされる活性酸素種である原子状酸素（低温下でも酸化できる最も強い酸化力を持つ）ができ、光触媒フィルタ２３に酸化チタンとともに添着しているアパタイトに吸着した有機物（炭素と水素の化合物）である臭気を酸化分解し炭酸ガスと水にする。細菌や病原菌も有機物であり、それぞれの表皮を酸化分解して死滅させることができる。
【００１５】
紫外線発光ダイオードは、ピーク波長３８０ｎｍの紫外線を発光するもので、光触媒フィルタ２３との間隔は、紫外線発光ダイオードの光量（光強度）を低下させず、光触媒フィルタ２３に万遍なく照射でき量子収率を維持できるものとされる。具体的には、紫外線発光ダイオードの光強度０．５ｍＷ／ｃｍ２、紫外線発光ダイオードの間隔は、２０ｍｍ、紫外線発光ダイオードと光触媒フィルタ２３との間隔は、１５ｍｍほどに設定されている。なお、光触媒フィルタ２３は、シリカゲルを主体にした粒子状体にアパタイト及び酸化チタンを添着させたものでもよい。
【００１６】
この保管庫によれば、物品が収められた保管室１は、吸着除湿装置４の交番運転により乾燥雰囲気に維持され、光触媒装置１０の運転により滅菌・脱臭雰囲気におかれる。即ち、湿度管理だけでなく細菌や臭気も除去できる機能性の高い保管庫である。具体的な保管庫の運転については、例えば図６のフローチャートに示すように行われる。
【００１７】
制御回路１８は、電源がＯＮされると（ステップ♯１）、光触媒装置１０を運転させ（ステップ♯２）、湿度センサ１９の出力値を取込み、湿度が例えば３０％を超えているか否かを判定する。（ステップ♯３）。３０％を超えていれば吸着除湿装置４に再生経路による再生運転させ（ステップ♯４）、光触媒装置１０をＯＦＦさせる（ステップ♯５）。ステップ♯４で除湿器１１の再生を行ったら除湿器１１を冷却し（ステップ♯６）、除湿経路による除湿運転を行い（ステップ♯７）、ステップ♯８へ進む。ステップ♯８では湿度センサ１９の出力値が例えば２５％未満か否かを判定し、未満であれば、ステップ♯２に戻る処理を行い、未満でなければステップ♯４に戻り、吸着除湿装置４に再生運転と除湿運転を交番させる。これにより、保管室１は、乾燥雰囲気を維持しながら効果的に殺菌・脱臭が行われ、滅菌・脱臭雰囲気におかれる。
【産業上の利用可能性】
【００１８】
上述した保管庫は、ショーケースや美術・工芸品の展示ケースなど幅広く利用することができる。
【図面の簡単な説明】
【００１９】
【図１】保管庫の全体を示す透視斜視図である。（実施の形態１）
【図２】吸着除湿装置の断面図である。（実施の形態１）
【図３】気室の斜視図である。（実施の形態１）
【図４】光触媒装置の斜視図である。（実施の形態１）
【図５】光触媒装置の断面図である。（実施の形態１）
【図６】保管庫の運転形態を示すフローチャートである。（実施の形態１）
【符号の説明】
【００２０】
１  保管室、  ２  気室、  ４  吸着除湿装置、  ６，７  連絡口、  １０  光触媒装置、  １１  除湿器、  １２  送風機、  １３  加熱手段、  １８  制御回路、  １９  湿度センサ、  ２０  風洞構造、  ２１  送風機、  ２２  紫外線発光部、  ２３  光触媒フィルタ、  ２５  フレーム、  ２６  樹脂不織布。
【図１】
2007236749.tif 000003
【図２】
2007236749.tif 000004
【図３】
2007236749.tif 000005
【図４】
2007236749.tif 000006
【図５】
2007236749.tif 000007
【図６】
2007236749.tif 000008